(57)【要約】【課題】粉粒状物収納具の収納袋体に粉粒状物を詰入し、この粉粒状物収納具を運搬台上に走行機体の走行動作により積載し、散布作業機により粉粒状物収納具を圃場等まで運搬し、圃場等において、運搬台を傾動させた状態で走行機体を走行させると共に収納袋体の出口部を開口して粉粒状物を流下させ、圃場内への粉粒状物の散布作業を行うことができ、粉粒状物の詰入、積載、運搬及び散布を容易かつ円滑に行うことができ、粉粒状物の散布作業性を高めることができる。【解決手段】走行機体１及び走行機体に取付枠３を介して上下動自在及び傾動自在に配置された運搬台９からなる散布作業機Ｍの運搬台９上に走行機体の走行動作により積載される積載部材１４と、籾殻や肥料等の粉粒状物Ｗを収納可能にして開閉可能な出口部をもつ収納袋体１５を保持可能な収納袋部１６とを備えてなる。【選択図】図１
2007037491.tif 000002
【特許請求の範囲】
【請求項１】
走行機体及び該走行機体に取付枠を介して上下動自在及び傾動自在に配置された運搬台からなる散布作業機の該運搬台上に該走行機体の走行動作により積載される積載部材と、籾殻や肥料等の粉粒状物を収納可能にして開閉可能な出口部をもつ収納袋体を保持可能な収納袋部とを備えてなり、上記積載部材に該積載部材の下方位置に上記運搬台を配置するための挿入部を形成可能な脚部材を着脱自在に設けてなることを特徴とする粉粒状物収納具。
【請求項２】
上記取付枠と上記運搬台との間に係止部及び係止部材からなる解除可能な係止機構を設けてなることを特徴とする請求項１記載の粉粒状物収納具。
【請求項３】
上記取付枠と該運搬台との間に上記運搬台の傾動位置を規制可能な位置規制機構を設けてなることを特徴とする請求項１又は２記載の粉粒状物収納具。
【請求項４】
上記積載部材を上記運搬台に着脱可能な着脱機構を設けてなることを特徴とする請求項１〜３のいずれか１項に記載の粉粒状物収納具。
【請求項５】
上記請求項１〜４のいずれか１項に記載の粉粒状物収納具を備えてなる粉粒状物散布作業機。
【発明の詳細な説明】
【技術分野】
【０００１】
本発明は例えば籾殻や肥料等の粉粒状物等の散布作業等に用いられる粉粒状物収納具及び粉粒状物散布作業機に関するものである。
【背景技術】
【０００２】
従来、この種の散布作業機として、走行機体に取付枠を連結し、取付枠に運搬台を後方傾動自在に設け、該取付枠と該運搬台との間に係止部及び係止部材からなる解除可能な係止機構を設け、取付枠にすき体を前下がり状に取り付けて構成したものが知られている。
【０００３】
しかして、例えば運搬台に籾殻や肥料を収納し、運搬台の底面から肥料を落下散布したり、収穫物や農作業機具を搭載して運搬作業を行ったり、又、すき体を前下り状に保持して走行機体を前進走行し、圃場面の高い所の土をすき体により削り取り、削り取られた土をすき体により運搬台内に導入案内し、走行機体を圃場の低い所に移動し、その位置で作業者が人為的に係止機構を解除し、運搬台を自重で後方傾動させ、運搬台内の土を圃場面の低い所に排出し、これにより圃場の整地作業を行うようにしている。
【特許文献１】特開平６−５３０１２号公報
【発明の開示】
【発明が解決しようとする課題】
【０００４】
しかしながらこれら従来構造の場合、上記運搬台上に大重量となる多量の籾殻を積載することが厄介であり、それだけ、運搬作業性並びに散布作業性を低下させることがあるという不都合を有している。
【課題を解決するための手段】
【０００５】
本発明はこれらの不都合を解決することを目的とするもので、本発明のうちで、請求項１記載の発明は、走行機体及び該走行機体に取付枠を介して上下動自在及び傾動自在に配置された運搬台からなる散布作業機の該運搬台上に該走行機体の走行動作により積載される積載部材と、籾殻や肥料等の粉粒状物を収納可能にして開閉可能な出口部をもつ収納袋体を保持可能な収納袋部とを備えてなり、上記積載部材に該積載部材の下方位置に上記運搬台を配置するための挿入部を形成可能な脚部材を着脱自在に設けてなることを特徴とする粉粒状物収納具にある。
【０００６】
又、請求項２記載の発明は、上記取付枠と上記運搬台との間に係止部及び係止部材からなる解除可能な係止機構を設けてなることを特徴とするものであり、又、請求項３記載の発明は、上記取付枠と該運搬台との間に上記運搬台の傾動位置を規制可能な位置規制機構を設けてなることを特徴とするものであり、又、請求項４記載の発明は、上記積載部材を上記運搬台に着脱可能な着脱機構を設けてなることを特徴とするものである。
【０００７】
又、請求項５記載の発明は、上記粉粒状物収納具を備えてなる粉粒状物散布作業機にある。
【発明の効果】
【０００８】
本発明は上述の如く、請求項１又は５記載の発明にあっては、粉粒状物収納具の収納袋体に粉粒状物を詰入し、この粉粒状物収納具を運搬台上に走行機体の走行動作により積載し、散布作業機により粉粒状物収納具を圃場等まで運搬し、圃場等において、運搬台を傾動させた状態で走行機体を走行させると共に収納袋体の出口部を開口して粉粒状物を流下させ、圃場内への粉粒状物の散布作業を行うことができ、粉粒状物の詰入、積載、運搬及び散布を容易かつ円滑に行うことができ、この際、積載部材に積載部材の下方位置に上記運搬台を配置するための挿入部を形成可能な脚部材を着脱自在に設けてなるから、脚部材の取り付けにより挿入部を確保することができ、挿入部内への運搬台の挿入を容易に行うことができ、運搬台への粉粒状物収納具の積載を容易に行うことができ、散布作業時においては、脚部材を取り外すことにより運搬台の傾動を低位置で行うことができ、積載部材に対する圃場内に散在する稲株等の圃場散在物への衝突や圃場散在物の絡まりを防ぎ、粉粒状物の散布作業性を高めることができる。
【０００９】
又、請求項２記載の発明にあっては、上記取付枠と上記運搬台との間に係止部及び係止部材からなる解除可能な係止機構を設けてなるから、運搬台の水平保持及び傾動を容易に行うことができ、又、請求項３記載の発明にあっては、上記取付枠と運搬台との間に上記運搬台の傾動位置を規制可能な位置規制機構を設けてなるから、運搬台の傾動位置を規制保持することができ、各種作業に対する融通性を高めることができ、又、請求項４記載の発明にあっては、上記積載部材を上記運搬台に着脱可能な着脱機構を設けてなるから、粉粒状物収納具を運搬台に確実に固定する連結固定することができ、散布作業性を円滑に行うことができる。
【発明を実施するための最良の形態】
【００１０】
図１乃至図１２は本発明の実施の形態例を示し、この場合、図１の如く、Ｍは散布作業機であって、トラクタからなる走行機体１を備えてなり、走行機体１の後部には連結機構２により取付枠３を連結している。
【００１１】
この連結機構２は、この場合、図３、図１０の如く、走行機体の左右両側部下部に突設した下部リンク４と、走行機体の左右両側部上部に突設した揺動アーム５と、揺動アーム５と下部リンク４の中程部を連結する吊上リンク６と、走行機体の上部に突設した上部リンク７とで構成されており、上記下部リンク４の先端部と上部リンク７の先端部を連結ピン８により取付枠３に連結し、取付枠３を油圧により揺動する揺動アーム５によって上下動自在に構成している。
【００１２】
９は運搬台であって、この場合、図１０の如く、上記取付枠３を左右一対の縦杆３ａ及び縦杆の下端部から後方に突設した水平杆３ｂからなる側面略Ｌ形状に形成し、運搬台９は、粉粒状物Ｗを積載する長方形状の底板である積載部９ａの前辺部に前板９ｂを立設し、前板９ｂに前杆９ｃを取り付け、積載部９ａの底面に補強杆９ｄを取り付け、積載部９ａ及び補強杆９ｄの後方縁部に断面三角形状の掬杆９ｆを取り付けて略Ｌ形状にしてなり、この縦杆３ａに前杆９ｃが当接した状態で補強杆９ｄに水平杆３ｂを支点軸１０により枢着連結し、取付枠３に対して運搬台９を支点軸１０を中心として後方傾動自在に設けて構成している。
【００１３】
１１は係止機構であって、この場合、図８、図１０の如く、運搬台９の前杆９ｃの上部間に上部杆９ｅを取付け、上部杆９ｅの上面中央位置に支持片１１ａを二個並列状態で取付け、支持片１１ａ間にピン状の係止部１１ｂを架設し、一方縦杆３ａ間に架設した横杆３ｃに支持片１１ｃを並列状態に取付け、支持片１１ｃ間に支点ピン１１ｄを架設し、支点ピン１１ｄにレバー状の係止部材１１ｅを揺動自在に枢着し、係止部材１１ｅの基端部に横杆３ｃの上面に当接可能なストッパー部１１ｆを形成すると共に係止部材１１ｅの先端部に上記係止部１１ｂに引掛係止可能な鉤状部１１ｇを形成し、係止部材１１ｅと横杆３ｃとの間に係止部材１１ｅの先端部を下方に弾引可能な係止用バネ１１ｈを掛架し、係止部材１１ｅに操作レバー１１ｊを突設して構成している。
【００１４】
しかして、係止部材１１ｅを支点ピン１１ｄを中心として上向き揺動させることにより係止部材１１ｅの鉤状部１１ｇが係止部１１ｂより離脱し、これにより運搬台９は支点軸１０を中心として自重後方傾動することになり、また、運搬台９を傾動状態から起立させると係止部材１１ｅの鉤状部１１ｇは係止部１１ｂに当接して係止用バネ１１ｈに抗して乗り上げ動作したのち乗り越え動作し、係止部１１ｂは係止部材１１ｅの鉤状部１１ｇに係止され、これにより運搬台９の支点軸１０を中心とする自重後方傾動が阻止されることになる。
【００１５】
１２は位置規制機構であって、この場合、図１１、図１２の如く、上記取付枠３の横杆３ｃに引掛部材１２ａを取り付け、運搬台９の上部杆９ｅに止部材１２ｂを取り付け、止部材１２ｂに複数個の環体１２ｃを交互に直角状をなして連結してなる鎖体１２ｄの一方端部を止着し、引掛部材１２ａに鎖体１２ｄの線径よりやや幅広にして交互の環体１２ｃに引掛可能な引掛溝１２ｅを形成し、鎖体１２ｄの他方端部を引掛部材１２ａから離反することにより運搬台９の後方傾動を可能とし、鎖体１２ｄの他方端部を引掛部材１２ａの引掛溝１２ｅに掛止することにより、運搬台９の後方傾動位置を規制すると共に複数個の環体１２ｃと引掛溝１２ｅとの選択により運搬台９の後方傾動位置を可変自在に設けて構成している。
【００１６】
１３は粉粒状物収納具であって、図４の如く、上記運搬台９の積載部９ａ上に載置される積載部材１４に籾殻や肥料等の粉粒状物Ｗを収納可能にして開閉可能な出口部をもつ合成樹脂製の収納袋体１５を保持可能な収納袋部１６を設けてなり、この場合、収納袋部１６は、積載部材１４の積載板１４ａに複数個の支柱杆１６ａ及び横杆１６ｂからなる囲枠体１６ｃを配置し、囲枠体１内にして積載板１４ａ上に収納袋体１５を配置し、収納袋体１５の上部にファスナーにより開閉可能な投入口部１５ｂを設けると共に下部側部にファスナーにより開閉可能な出口部１５ｃを設け、収納袋体１５の内部に仕切壁１５ｆを形成し、収納袋体１５の上部に網目部分１５ｇを設け、囲枠体１６ｃと収納袋体１５とを連結穴１５ａ及び連結環１５ｄ並びに留め具１５ｅにより連結し、かつ、図９の如く、運搬台９の上部杆９ｅの両端部に筒体９ｈを取り付け、筒体９ｈにボルト鉤体９ｊを螺着し、ボルト鉤体９ｊを囲枠体１６ｂの支持杆９ａに引き掛け、ボルト鉤体９ｊにナット９ｋを螺着することにより収納袋部１６を運搬台９に固定するように構成している。
【００１７】
１７・１７は脚部材、Ｐは脚着脱機構であって、この場合、図５、図６の如く、上記積載部材１４の左右両側に脚部１４ａ・１４ａを垂下形成し、脚部１４ａ・１４ａに枠部材１４ｂ・１４ｂを取り付け、脚部材１７・１７に枠部材１４ｂ・１４ｂに挿通嵌合可能な挿通杆１７ａ・１７ａを取り付け、枠部材１４ｂ・１４ｂと挿通杆１７ａ・１７ａとの間に着脱ピン１７ｂを挿通することにより脚部材１７・１７を積載部材１４に対して着脱自在に設け、脚部材１７・１７を積載部材１４に取り付けることにより積載部材１４の下方位置に上記運搬台９を配置するための左右の脚部材１７・１７と積載板１４ａで囲まれた空間としての挿入部１８を形成可能に設けて構成している。
【００１８】
１９・１９は挿入案内部であって、この場合、図６、図７の如く、上記脚部材１７・１７及び脚部１４ａ・１４ａの前端部に相互にハ状に開き形成して設けられ、この挿入案内部１９・１９により運搬台９の積載部９ａを挿入部１８内に挿入案内可能に設けられている。
【００１９】
２０は着脱機構であって、この場合、図５、図６の如く、運搬台９の積載部９ａの両側部に差込穴９ｇを形成すると共に積載部材１４に挿通穴１４ｅを形成し、差込穴９ｇと挿通穴１４ｅとに挿通ピン２０ａを挿通することにより運搬台９に積載部材１４を着脱自在に設けて構成している。
【００２０】
この実施の形態例は上記構成であるから、例えば、図２に示す如く、例えば、籾摺機の設置場所の近傍位置に粉粒状体収納具１３を設置し、籾摺機の排塵筒を収納袋体１５の袋口部１５ｂに挿入し、排塵筒内を流れる排気流により籾殻は排出され、排塵筒から排出されてくる籾殻は収納袋体内に詰入されると共に排気流は上部の網目部分１５ｇから外に排出され、これにより収納袋体１５の袋口部１５ｂを介して粉粒状物Ｗとしての籾殻を詰入し、詰入が完了したら、散布作業機Ｍの走行機体１を運転して運搬台９の後部を粉粒状物収納具１３に対向位置させ、図３、図４の如く、散布作業機Ｍを後退させて運搬台９の板９ａを挿入部１８内に挿入し、挿入部１８内への挿入が完了したら、運搬台９と積載部材１４とを着脱機構２０の挿通ピン２０ａにより連結し、かつ、運搬台９と囲枠体１６ｃとをボルト鉤体９ｊにより固定し、これにより粉粒状物Ｗを詰入した粉粒状物収納具１３を運搬台９上に積載することになる。
【００２１】
そして、この粉粒状物収納具１３を積載したら、脚着脱機構Ｐの着脱ピン１７ｂを抜き去ることにより脚部材１７・１７を積載部材１４から取り外し、図１の状態で、散布作業機Ｍを所望の圃場まで運搬し、圃場内において、図８の係止状態から図１０の如く、係止機構１１の係止部材１１ｅを引き上げて係止部１１ｂから外して解除状態にすることにより運搬台９は支点軸１０を中心として後方に傾動し、この場合、位置規制機構１２の鎖体１２ｄにより、図１０に示す傾動角度に規制される。
【００２２】
そして、図１２の如く、収納袋体１５の出口部１５ｃを開口することにより粉粒状物Ｗである籾殻は出口部１５ｃから流下し、散布作業機Ｍの走行により圃場内への籾殻散布作業を行うことができる。
【００２３】
したがって、例えば、籾摺機の設置場所において、積載部材１４と収納袋部１６とからなる粉粒状物収納具１３の収納袋体１５に籾殻である粉粒状物Ｗを排塵筒を介して収納し、籾殻を詰入したら、散布作業機Ｍの運搬台９上に走行機体１の走行動作により粉粒状物収納具１３を積載し、散布作業機Ｍにより粉粒状物収納具１３を圃場まで運搬し、圃場において、運搬台９を傾動させた状態で走行機体１を走行させることにより収納袋体１５の出口部１５ｃから粉粒状物Ｗである籾殻は流下し、散布作業機Ｍの走行により圃場内への籾殻散布作業を行うことができ、粉粒状物Ｗの詰入、積載、運搬及び散布を容易かつ円滑に行うことができ、この際、積載部材１４に積載部材１４の下方位置に上記運搬台９を配置するための挿入部１８を形成可能な脚部材１７を着脱自在に設けてなるから、脚部材１７の取り付けにより挿入部１８を確保することができ、挿入部１８内への運搬台９の積載部９ａの挿入を容易に行うことができ、運搬台９への粉粒状物収納具１３の積載を容易に行うことができ、散布作業時においては、脚部材１７を取り外すことにより運搬台９の傾動を低位置で行うことができ、積載部材１４に対する圃場内に散在する稲株等の圃場散在物への衝突や圃場散在物の絡まりを防ぎ、粉粒状物Ｗの散布作業性を高めることができる。
【００２４】
又、この場合、上記取付枠３と上記運搬台９との間に係止部１１ｂ及び係止部材１１ｅからなる解除可能な係止機構１１を設けてなるから、運搬台１の水平保持及び傾動を容易に行うことができ、又、この場合、上記取付枠３と運搬台９との間に上記運搬台９の傾動位置を規制可能な位置規制機構１２を設けてなるから、運搬台９の傾動位置を規制保持することができ、各種作業に対する融通性を高めることができ、又、この場合、上記脚部材１７・１７の前端部に挿入案内部１９・１９を設けて構成しているから、挿入案内部１９・１９により運搬台９の積載部９ａを挿入部１８内に容易に挿入することができ、又、この場合、上記積載部材１４を上記運搬台９に着脱可能な着脱機構２０を設けてなるから、粉粒状物収納具１３を運搬台９に確実に固定する連結固定することができ、散布作業性を円滑に行うことができる。
【００２５】
尚、本発明は上記実施の形態例に限られるものではなく、例えば、籾殻に限らず肥料、その他の粉粒状物の散布にも適用することができ、又、積載部材１４の構造や形態、係止機構１１、位置規制機構１２、粉粒状物収納具１３、収納袋体１５、脚部材１７の構造等は適宜変更して設計されるものである。
【００２６】
以上、所期の目的を充分達成することができる。
【図面の簡単な説明】
【００２７】
【図１】本発明の実施の形態例の全体側面図である。
【図２】本発明の実施の形態例の粉粒状物収納具の全体平面図である。
【図３】本発明の実施の形態例の全体側面図である。
【図４】本発明の実施の形態例の後面図である。
【図５】本発明の実施の形態例の部分縦断面図である。
【図６】本発明の実施の形態例の部分分離斜視図である。
【図７】本発明の実施の形態例の部分平断面図である。
【図８】本発明の実施の形態例の部分拡大断面図である。
【図９】本発明の実施の形態例の部分平面図である。
【図１０】本発明の実施の形態例の部分側面図である。
【図１１】本発明の実施の形態例の部分前面図である。
【図１２】本発明の実施の形態例の全体側面図である。
【符号の説明】
【００２８】
Ｍ    散布作業機
１    走行機体
９    運搬台
１１    係止機構
１２    位置規制機構
１３    粉粒状物収納具
１４    積載部材
１５    収納袋体
１６    収納袋部
１７    脚部材
１８    挿入部
２０    着脱機構
【図１】
2007037491.tif 000003
【図２】
2007037491.tif 000004
【図３】
2007037491.tif 000005
【図４】
2007037491.tif 000006
【図５】
2007037491.tif 000007
【図６】
2007037491.tif 000008
【図７】
2007037491.tif 000009
【図８】
2007037491.tif 000010
【図９】
2007037491.tif 000011
【図１０】
2007037491.tif 000012
【図１１】
2007037491.tif 000013
【図１２】
2007037491.tif 000014
【手続補正書】
【提出日】平成17年10月7日(2005.10.7)
【手続補正１】
【補正対象書類名】明細書
【補正対象項目名】０００３
【補正方法】変更
【補正の内容】
【０００３】
しかして、例えば運搬台に籾殻や肥料を収納し、運搬台の底面から肥料を落下散布したり、収穫物や農作業機具を搭載して運搬作業を行ったり、又、すき体を前下り状に保持して走行機体を前進走行し、圃場面の高い所の土をすき体により削り取り、削り取られた土をすき体により運搬台内に導入案内し、走行機体を圃場の低い所に移動し、その位置で作業者が人為的に係止機構を解除し、運搬台を自重で後方傾動させ、運搬台内の土を圃場面の低い所に排出し、これにより圃場の整地作業を行うようにしている。
【特許文献１】特公昭５９−３６０７号公報